(57)【要約】商品の受取り主に特定の個別メッセージを伝えることができると共に、その特定の個別メッセージを受取り主が記念に残しておくことを可能とした商品包装材を提供する。  段ボール箱１の上面を構成する二片の外フラップ１Ｂ，１Ｂに跨がってメッセージボードＭＢがミシン目１Ｃ，１Ｃにより切り抜き可能に区画されており、このメッセージボードＭＢには、商品の送り主から受取り主に宛てた手書きによる特定の個別メッセージが複写されている。この段ボール箱１が受取り主に送り届けられると、送り主からの心のこもった個別のメッセージが受取り主に伝えられる。そして、受取り主は、メッセージボードＭＢをミシン目１Ｃ，１Ｃにより切り抜くことで、手書きによる特定の個別メッセージが複写されたメッセージボードＭＢを記念品とすることができる。
2008146931.tif 000002
【特許請求の範囲】
【請求項１】
商品を受取り主に送り届けるために使用される箱型または封筒型の商品包装材であって、商品の送り主から受取り主に宛てた特定の個別メッセージが表示されるメッセージ表示部が分離可能に設けられていることを特徴とする商品包装材。
【請求項２】
前記メッセージ表示部が切り抜き可能に設けられていることを特徴とする請求項１に記載の商品包装材。
【請求項３】
前記メッセージ表示部が剥離可能な別体のメッセージシートで構成されていることを特徴とする請求項１に記載の商品包装材。
【請求項４】
上面が二片のフラップで構成される段ボール箱からなり、前記メッセージ表示部としてのメッセージボードが二片のフラップに跨って切り抜き可能に設けられており、二片のフラップに跨るメッセージボードがステープルにより相互に縫合されることを特徴とする請求項１に記載の商品包装材。
【請求項５】
上面が一片のフラップで構成される段ボール箱からなり、前記メッセージ表示部としてのメッセージボードが一片のフラップに切り抜き可能に設けられており、このメッセージボードの少なくとも内面または外面に前記特定の個別メッセージが表示されることを特徴とする請求項１に記載の商品包装材。
【請求項６】
ジャバラ構造により容積が可変なプラスチック製のボックスと、こ
2008146931.tif 000003
に前記メッセージ表示部としての別体のメッセージシートが剥離可能に貼付されていることを特徴とする請求項１に記載の商品包装材。
【請求項７】
透明または半透明のプラスチック製であることを特徴とする請求項１〜６の何れか１の請求項に記載の商品包装材。
【請求項８】
分離されたメッセージ表示部を飾るためのフレームが商品と共に収容されることを特徴とする請求項１〜７の何れか１の請求項に記載の商品包装材。
【請求項９】
商品を保持するパッド部材を備え、このパッド部材が前記フレームとして機能するように加工可能な構造を有することを特徴とする請求項８に記載の商品包装材。
【請求項１０】
前記メッセージ表示部に表示される特定の個別メッセージが送り主の手書きによるメッセージまたはその複写であることを特徴とする請求項１〜９の何れか１の請求項に記載の商品包装材。
【請求項１１】
商品と共に新たな商品の注文書が収容されており、この注文書には前記特定の個別メッセージを書き込むためのメッセージ欄が設けられていることを特徴とする請求項１〜１０の何れか１の請求項に記載の商品包装材。
【請求項１２】
商品と共に新たな商品の注文書が収容されており、この注文書には請求項６記載のメッセージシートが着脱自在に取り付けられていることを特徴とする請求項１〜１０の何れか１の請求項に記載の商品包装材。
【発明の詳細な説明】
【技術分野】
【０００１】
本発明は、商品を受取り主に送り届けるために使用される商品包装材に関するものである。
【背景技術】
【０００２】
商品を受取り主に送り届けるための商品包装材として、軽量でしかも丈夫な段ボール箱が従来一般に使用されている。この種の段ボール箱は、最小単位の商品を梱包する個装用ダンボール箱と呼称されている。このような個装用段ボール箱には、少なくとも商品の受取り主の住所、氏名が表示されるが、その他に、商品名あるいは商品の製造業者、販売業者、発送業者などの商標やサービスマーク等が予め印刷により表示されることもある（例えば特開２００１−２９４２２５号公報）。
【発明の開示】
【発明が解決しようとする課題】
【０００３】
ところで、前述したような個装用段ボール箱は、商品名、商標、サービスマーク等による多少のメッセージ性は有するものの、商品を安全に梱包して確実に送り届けることを基本の機能としているため、商品の受取り主に特定の個別メッセージを伝える機能は全く備えていないのが実情である。
そこで、本発明は、商品の受取り主に特定の個別メッセージを伝えることができると共に、その特定の個別メッセージを受取り主が記念に残しておくことを可能とした商品包装材を提供することを課題とする。
【課題を解決するための手段】
【０００４】
この課題を解決するため、本発明に係る商品包装材は、商品を受取り主に送り届けるために使用される箱型または封筒型の商品包装材であって、商品の送り主から受取り主に宛てた特定の個別メッセージが表示されるメッセージ表示部が分離可能に設けられていることを特徴とする。
本発明に係る商品包装材を使用して商品を受取り主に送り届ける際には、分離可能に設けられたメッセージ表示部に受取り主に宛てた特定の個別メッセージを表示する。こうすることで、商品が受取り主に送り届けられた際には、商品包装材のメッセージ表示部に表示された特定の個別メッセージにより、商品の送り主の気持ちが受取り主に伝えられる。
この場合、特定の個別メッセージが送り主の手書きによるメッセージまたはその複写であると、商品の送り主の気持ちやその人物のイメージが受取り主に暖かく伝わり、メッセージボードの記念品としての価値が一層高まるのでより好ましい。そして、受取り主は、商品包装材からメッセージ表示部を分離することにより、特定の個別メッセージが表示されたメッセージ表示部を記念品として手元に残しておくことができる。
本発明の商品包装材は、送り届ける商品の形状、大きさ、数量などに応じて箱型または封筒型が適宜選択される。例えば、薄くて嵩張らないＣＤ、ＤＶＤ、雑誌類、Ｔシャツなどの商品には封筒型が選択され、みかんやりんご等の果物類あるいはビン詰めジャムなどの嵩張る商品には箱型が選択される。
本発明の商品包装材において、特定の個別メッセージが表示されるメッセージ表示部は、切り抜き可能に設けられていてもよいし、剥離可能な別体のメッセージシートで構成されていてもよい。そして、本発明の商品包装材は、メッセージ表示部を分離することができる限り、紙材、木材、プラスチック材、布材など、如何なる材料で構成されていてもよい。
ここで、段ボール材で構成された箱型または封筒型の商品包装材は、軽量かつ丈夫でしかもメッセージ表示部を容易に切り抜くことができるので好ましい。また、透明または半透明のプラスチック材で構成された箱型または封筒型の商品包装材は、収容された商品が透けて綺麗に見え、商品の受取り主に喜ばれるので好ましい。ことに、果物類、菓子類、飲料類を送り届けるために使用される商品包装材の形態としては、その果物、菓子、飲料の色を連想させる淡い色付きの透明または半透明のプラスチック製段ボール箱が好適である。
本発明の商品包装材は、上面が二片のフラップで構成される段ボール箱からなり、メッセージ表示部としてのメッセージボードが二片のフラップに跨って切り抜き可能に設けられており、二片のフラップに跨るメッセージボードがステープルにより相互に縫合されるものとすることができる。この商品包装材の形態では、二片のフラップから切り抜かれたメッセージボードには、ステープルそのもの、あるいはその痕が残り、メッセージボードの記念品としての価値が高まるので好ましい。
また、本発明の商品包装材は、上面が一片のフラップで構成される段ボール箱からなり、メッセージ表示部としてのメッセージボードが一片のフラップに切り抜き可能に設けられており、このメッセージボードの少なくとも内面または外面に特定の個別メッセージが表示されるものとすることができる。
この商品包装材の形態では、メッセージボードの内面に特定の個別メッセージを表示することで、商品の受取り主を除く他の人に特定の個別メッセージが見られてしまうということが無くなるため、商品の送り主は、他人の目を気にすることなく、特定の個別メッセージを表示することができる。
さらに、本発明の商品包装材は、ジャバラ構造により容積が可変なプラスチック製のボックスと、このボックスの開口部を覆うプラスチック製の蓋とで構成され、この蓋の内面に前記メッセージ表示部としての別体のメッセージシートが剥離可能に貼付されているものとすることができる。
この商品包装材の形態では、例えば、みかん等の果物を３ｋｇ詰または５ｋｇ詰めとして詰め込む場合、ボックスの容積をジャバラ構造により変更することで容易に対応することができる。また、メッセージ表示部として特定の個別メッセージが表示される別体のメッセージシートを蓋の内面から剥がすことで、ボックスおよび蓋を再利用することが可能となる。さらに、商品の受取り主を除く他の人に特定の個別メッセージが見られてしまうということが無くなるため、商品の送り主は、他人の目を気にすることなく、特定の個別メッセージを表示することができる。
ここで、本発明の商品包装材から分離されたメッセージ表示部を飾るためのフレームが商品と共に商品包装材に収容されていると、メッセージ表示部をフレーム付きの記念品として飾ることができ、その記念品としての価値がより一層高まるので好ましい。
また、本発明の商品包装材が商品を保持するパッド部材を備え、このパッド部材がフレームとして機能するように加工可能な構造を有する場合、パッド部材をフレームに加工することで、メッセージ表示部をフレーム付きの記念品として飾ることができ、商品の受取り主は、そのフレームを見て送り主から贈られた商品を思い出すこともあり、記念品としての価値が倍増するので好ましい。
ここで、商品と共に新たな商品の注文書が本発明の商品包装材に収容されていると、商品の受取り主は、商品と共に取り出した注文書を利用して新たな商品を簡便かつ確実に注文することができるので好ましい。また、この注文書に特定の個別メッセージの手書きによる書き込み欄が設けられていると、商品の受取り主が今度は新たな商品の送り主として、その受取り主に宛てた手書きによる特定の個別メッセージをこの書き込み欄に書き込むことができるので好ましい。
この書き込み欄は、メッセージシートが着脱自在に取り付けられて構成されていてもよいし、該欄自体がメッセージシートであって注文書から容易に脱離できるように構成されていてもよい。このような構成であれば、送り主の手書きのメッセージを、そのまま本発明の商品包装材に貼着することができ、より簡便である。
【発明の効果】
【０００５】
本発明に係る商品包装材によれば、分離可能に設けられたメッセージ表示部に商品の受取り主に宛てた特定の個別メッセージを表示することにより、特定の個別メッセージを商品の受取り主に伝えることができる。そして、商品の受取り主は、商品包装材からメッセージ表示部を分離することにより、特定の個別メッセージが表示されたメッセージ表示部を記念品として手元に残しておくことができる。
この場合、特定の個別メッセージが商品の送り主の手書きによるメッセージやその複写であると、送り主の暖かい気持ちやその人物のイメージを受取り主に伝えることができ、メッセージ表示部の記念品としての価値も高まる。
【図面の簡単な説明】
【０００６】
図１は、本発明の第１実施形態に係る商品包装材としての段ボール箱の外観を示す斜視図である。
図２は、図１に示した段ボール箱の上面を示す平面図である。
図３は、図１に示した段ボール箱に収容されるパッド部材の上面側の斜視図である。
図４は、図３に示したパッド部材の下面側の斜視図である。
図５は、図１に示した段ボール箱に収容される新たな注文書の正面図である。
図６は、図４に示した各折曲げ片が切り抜かれた状態を示すパッド部材の背面図である。
図７は、図６に示した各折曲げ片が内側に折り曲げられた状態のパッド部材からなるフレームの正面図である。
図８は、図７に示したパッド部材からなるフレームにメッセージボードが嵌め込まれた状態を示すフレーム付きメッセージボードの正面図である。
図９は、第２実施形態に係る商品包装材としての段ボール箱の外観を示す斜視図である。
図１０は、図９に示した段ボール箱の外フラップが開かれた状態を示す斜視図である。
図１１は、第３実施形態に係る商品包装材としての梱包箱の蓋が開かれた状態を示す斜視図である。
図１２は、図１１に示した梱包箱の蓋の変形例を示す斜視図である。
図１３は、第４実施形態に係る商品包装材としての梱包袋の裏面側を示す斜視図である。
【符号の説明】
【０００７】
１，１１    段ボール箱
１Ａ，１１Ａ  稜線
１Ｂ，１１Ｂ  外フラップ
１Ｃ，１１Ｃ  ミシン目
２    ステープル
３    パッド部材
３Ａ  山折り線
３Ｂ  切込み
３Ｃ  折曲げ片
３Ｄ  山折り線
３Ｅ  折曲げ片
３Ｆ  ミシン目
３Ｇ  切込み
３Ｈ  フレーム
２１  梱包箱
２１Ａ  ボックス
２１Ｂ  蓋
２１Ｃ  ジャバラ構造部
２１Ｄ  かぶせ蓋
２２，３２  メッセージシート
３１  梱包袋
３１Ａ  マチ
ＭＢ  メッセージボード
ＢＪ  瓶詰めジャム
ＯＳ  注文書
【発明を実施するための最良の形態】
【０００８】
以下、図面を参照して本発明に係る商品包装材の最良の実施形態を説明する。ここで、参照する図面において、図１は第１実施形態に係る商品包装材としての段ボール箱の外観を示す斜視図、図２は図１に示した段ボール箱の上面を示す平面図である。
第１実施形態に係る商品包装材は、例えば図１に示すような段ボール箱１として構成されている。この段ボール箱１の上面は、その長手方向に延びる稜線１Ａ，１Ａに沿って内側に折り曲げられた横長の二片の外フラップ１Ｂ，１Ｂにより構成されている。そして、この二片の外フラップ１Ｂ，１Ｂは、段ボール箱１に商品が収容された後、図示しないステープラーを使用して打ち込まれるステープル２，２によって相互に縫合される。
ここで、図２に示すように、段ボール箱１には、その上面を構成する二片の外フラップ１Ｂ，１Ｂに跨がる長方形のメッセージボードＭＢがメッセージ表示部としてミシン目１Ｃ，１Ｃにより切り抜き可能に区画されている。そして、このメッセージボードＭＢには、商品の送り主から受取り主に宛てた特定の個別メッセージが表示される。
特定の個別メッセージは、例えば「おじいちゃんおげんきですか  これはみかんがりのおみやげです。…ヒナちゃん」というような、孫からおじいちゃんへ宛てた心のこもったメッセージである。この特定の個別メッセージは、所定の用紙に手書きされたメッセージの複写として表示される。
ここで、所定の用紙に手書きされたメッセージは、例えば、公開特許公報（特開平１１−５８８５０号、特開２００１−９６８４６号、特開２００６−３４１６０４号参照）に記載されているような従来周知のハンドヘルドプリンタを使用して複写される。すなわち、この種のハンドヘルドプリンタを使用して、所定の用紙に手書きされた個別のメッセージが段ボール箱１の上面の二片の外フラップ１Ｂ，１Ｂに跨がるメッセージボードＭＢに複写される。
図１に示した段ボール箱１内の底部には、商品をガタツキなく保持するためのパッド部材３が嵌め込まれる。このパッド部材３には、商品としての例えば３個の瓶詰めジャムＢＪが保持される。このパッド部材３は、図３に示すように、段ボール材を中空の厚板状に折り曲げ加工し、その両端部を糊付けしたものであり、段ボール箱１の内側に嵌まる長方形の平面形状を有する。
パッド部材３の上面には、３個の瓶詰めジャムＢＪ（図１参照）を嵌め込んで保持するための構造として、３個の正方形の山折り線３Ａと、各山折り線３Ａの対角線に沿う十文字の切込み３Ｂとが形成されている。そして、十文字の切込み３Ｂによって分離された各折曲げ片３Ｃを山折り線３Ａに沿って山折りすることで、３個の瓶詰めジャムＢＪが嵌め込まれる３個の正方形の凹部が形成されるようになっている。
ここで、パッド部材３は、図２に示した外フラップ１Ｂ，１Ｂからミシン目１Ｃ，１Ｃに沿って切り抜かれたメッセージボードＭＢを嵌め込んで保持するフレームとして機能するように構成されている。すなわち、図４に示すように、パッド部材３の下面には、メッセージボードＭＢの輪郭に対応した長方形の山折り線３Ｄと、この山折り線３Ｄの四辺に沿って内側に折り曲げられる４つの折曲げ片３Ｅを切り抜くための長方形のミシン目３Ｆと、各折曲げ片３Ｅを折り曲げ可能に分離するための４つの切込み３Ｇとが形成されている。
図１に示した段ボール箱１の内部には、パッド部材３に保持された３個の瓶詰めジャムＢＪと共に、パッド部材３をメッセージボードＭＢのフレームとして折り曲げ加工するためのフレーム組立説明図（図示省略）と、図５に示すような新たな商品の注文書ＯＳが収容される。この注文書ＯＳには、新たな商品の注文に際して商品の送り主から受取り主に宛てた個別のメッセージを手書きにより書き込むためのメッセージ書込み欄ＯＳ１が設けられている。
なお、注文書ＯＳのメッセージ書込み欄ＯＳ１に手書きされた個別のメッセージは、新たな商品を新たな段ボール箱１に収容して受取り主に送り届ける際、その段ボール箱１の上面のメッセージボードＭＢに複写される。
図示は省略するが、メッセージ書き込み欄ＯＳ１が注文書ＯＳから容易に脱離できるように構成されている場合には、該欄を離脱させてメッセージボードＭＢ上に貼着し、またメッセージ書き込み欄ＯＳ１にメッセージシートが着脱自在に取り付けられて構成されてる場合には、該シートを離脱させてメッセージボードＭＢ上に貼着すればよい。
以上のように構成された一実施形態の段ボール箱１は、商品である例えば３個の瓶詰めジャムＢＪを受取り主に送り届けるために使用される。この場合、図１に示した二片の外フラップ１Ｂ，１Ｂが開く状態に段ボール箱１を組み立て、その底部にパッド部材３（図３参照）を嵌め込む。そして、パッド部材３の上面に形成される３個の正方形の凹部にそれぞれ瓶詰めジャムＢＪをガタツキなく嵌め込んで保持する。
その後、図示しないフレーム組立説明図と共に図５に示した注文書ＯＳを段ボール箱１内に収容し、段ボール箱１内の空間に適宜のクッション材を詰め込む。そして、段ボール箱１の二片の外フラップ１Ｂ，１Ｂの両側部分を図示しないステープラーを使用してステープル２，２の打ち込みにより相互に縫合する。
この状態で、図２に示すような特定の個別メッセージ、例えば「おじいちゃんおげんきですか  これはみかんがりのおみやげです。…ヒナちゃん」というような個別のメッセージを二片の外フラップ１Ｂ，１Ｂに跨がる長方形のメッセージボードＭＢに図示しないハンドヘルドプリンタを使用して複写する。
これにより、段ボール箱１は、図１に示すように３個の瓶詰めジャムＢＪが梱包された状態となり、商品の受取り主へ発送されて送り届けられる。すると、段ボール箱１が送り届けられた受取り主は、段ボール箱１の上面のメッセージボードＭＢに表示された特定の個別メッセージを目にすることとなり、この個別のメッセージにより、商品の送り主の気持ちが受取り主に伝えられる。
ここで、メッセージボードＭＢには、例えば上記の「おじいちゃんおげんきですか…」というような、心のこもった特定の個別メッセージが手書きの複写として、あるいは注文書から離脱させたものが貼着されて、さらには該ボードＭＢ上に送り主が直接手書きして、表示されている。このため、受取り主には、商品である瓶詰めジャムＢＪに先立って商品の送り主の気持ちやその人物のイメージが暖かく伝わる。これにより、受取り主には、メッセージボードＭＢを記念品として残そうと思う気持ちが湧き上がる。
この場合、受取り主は、段ボール箱１を開く際に、その上面の二片の外フラップ１Ｂ，１Ｂに跨がるメッセージボードＭＢをミシン目１Ｃ，１Ｃにより切り抜くことができる。そして、ステープル２，２が付いたままでメッセージボードＭＢを切り抜くか、あるいはステープル２，２を抜き取ることで、受取り主は、段ボール箱１の二片の外フラップ１Ｂ，１Ｂを開き、段ボール箱１内から３個の瓶詰めジャムＢＪ、フレーム組立説明図（図示省略）および新たな商品の注文書ＯＳを取り出すことができる。
フレーム組立説明図（図示省略）を取り出した受取り主は、その説明に従ってパッド部材３をフレームに折曲げ加工する。すなわち、図６に示すように、パッド部材３の下面のミシン目３Ｆ（図４参照）により４つの折曲げ片３Ｅを切り抜き、各折曲げ片３Ｅを長方形の山折り線３Ｄの四辺に沿ってそれぞれ内側に折り曲げることで、図７に示すようなフレーム３Ｈを組み立てる。そして、図８に示すように、フレーム３Ｈの内側にメッセージボードＭＢを嵌め込んでこれを記念品とする。
ここで、メッセージボードＭＢを記念品として飾るフレーム３Ｈは、３個の瓶詰めジャムＢＪを保持していたパッド部材３を折り曲げ加工したものであり、また、メッセージボードＭＢは、３個の瓶詰めジャムＢＪを梱包していた段ボール箱１の二片の外フラップ１Ｂ，１Ｂから切り抜かれたステープル２，２付きのものであるため、これらを見る度に３個の瓶詰めジャムＢＪが送り届けられたときの懐かしい思い出がよみがえることとなる。
また、新たな商品の注文書ＯＳを取り出した受取り主は、この注文書ＯＳに所定事項を記入し、これを例えばファクシミリ送信することにより、新たな商品を簡便かつ確実に注文することができる。その際、メッセージ書込み欄ＯＳ１に商品の送り主として商品の受取り主に宛てた個別のメッセージを手書きにより書き込むことにより、その手書きのメッセージの複写が新たな商品用の段ボール箱１のメッセージボードＭＢに表示されることとなる。
以上説明したとおり、第１実施形態の段ボール箱１によれば、その上面を構成する二片の外フラップ１Ｂ，１Ｂに跨って切り抜き可能に区画されたメッセージボードＭＢに商品の送り主から受取り主に宛てた特定の個別メッセージが表示されることにより、その個別のメッセージを商品の受取り主に伝えることができる。そして、商品の受取り主は、特定の個別メッセージが表示されたメッセージボードＭＢを切り抜いて記念品とすることができる。
この場合、特定の個別メッセージが商品の送り主の手書きによるメッセージの複写であるため、送り主の暖かい気持ちやその人物のイメージを受取り主に伝えることができ、メッセージボードの記念品としての価値も高まる。
なお、第１実施形態の商品包装材における図４に示したパッド部材３の構造、すなわち、メッセージボードＭＢを嵌め込んで保持するフレームとして機能させるためのパッド部材３の加工構造は、その一例に過ぎず、メッセージボードＭＢを嵌め込んで保持することができる限り、如何なる構造に変更してもよい。また、メッセージボードＭＢは、図８に示したようにステープル２，２が付いたままの状態でフレーム３Ｈに嵌め込んでもよいし、ステープル２，２を抜き取った状態でフレーム３Ｈに嵌め込んでもよい。
続いて、第２実施形態に係る商品包装材を説明する。第２実施形態の商品包装材は、図９および図１０に示すような段ボール箱１１として構成されており、その内部には３個の瓶詰めジャムＢＪを保持するパッド部材３が嵌め込まれている。このパッド部材３の構造は、図３および図４に示したものと同様であるため、詳細な説明は省略する。
ここで、図９に示すように、段ボール箱１１の上面は、その長手方向に延びる片側の稜線１１Ａに沿って内側に折り曲げられた横長の一片の外フラップ１１Ｂにより構成されており、この外フラップ１１Ｂにメッセージ表示部としての長方形のメッセージボードＭＢがミシン目１１Ｃにより切り抜き可能に区画されている。
そして、図１０に示すように、外フラップ１１Ｂの内面、すなわち、メッセージボードＭＢの内面には、図２に示したものと同様の特定の個別メッセージが同様の手段により表示されている。なお、外フラップ１１Ｂの先端部には、段ボール箱１１の上面を閉じるための差込み片１１Ｄが折り曲げ加工されている。
第２実施形態の商品包装材では、商品の受取り主が段ボール箱１１の上面を構成する外フラップ１１Ｂを開くことにより、その内面側のメッセージボードＭＢの内面に表示された特定の個別メッセージを目にすることとなり、この個別のメッセージにより、商品の送り主の気持ちが受取り主に伝えられる。従って、商品の受取り主を除く他の人に特定の個別メッセージが見られてしまうということが無く、商品の送り主は、他人の目を気にすることなく、特定の個別メッセージを表示することができる。
また、特定の個別メッセージが表示されたメッセージボードＭＢは、段ボール箱１１の上面を構成する外フラップ１１Ｂから切り抜くことで、記念品とすることができ、このメッセージボードＭＢを図８に示すように、フレーム３Ｈの内側に嵌め込んで飾ることができる。従って、第２実施形態の商品包装材においても第１実施形態の商品包装材と同様の作用効果が得られる。
次に、第３実施形態に係る商品包装材を説明する。第３実施形態の商品包装材は、図１０および図１１に示すような梱包箱２１として構成されている。この梱包箱２１は、上面が長方形に開口したプラスチック製のボックス２１Ａと、このボックス２１Ａに一体に成形されたラスチック製の蓋２１Ｂとで構成されている。この梱包箱２１は、色付きの透明または半透明のポリエチレン、ポリプロピレンなどで成形されており、その色は、梱包される商品の色を連想させる淡い色、例えば、柑橘類を連想させる淡いオレンジ色とされている。
ボックス２１Ａの上部には、上下方向に伸縮することで容積を可変とするジャバラ構造部２１Ｃが形成されており、このジャバラ構造部２１Ｃを収縮させると、例えば３ｋｇのみかんをバラ詰めすることができ、ジャバラ構造２１Ｃを伸張させると、例えば５ｋｇのみかんをバラ詰めすることができるようになっている。
一方、蓋２１Ｂは、ボックス２１Ａの長方形の開口部の三辺の周囲に被せられる半かぶせ蓋であり、その三辺を除く一辺に連続して一体に成形されている。そして、この蓋２１Ｂもボックス２１Ａと同様の薄いオレンジ色の透明または半透明とされている。
ここで、蓋２１Ｂの内面には、メッセージ表示部としての別体のメッセージシート２２が剥離可能に貼付されており、このメッセージシート２２に前述した特定の個別メッセージが表示されている。すなわち、特定の個別メッセージが表示されたメッセージシート２２が蓋２１Ｂの内面に例えば弱粘着剤を介して剥離可能に貼付されている。
メッセージシート２２の材質は、特定の個別メッセージを表示でき、かつ、弱粘着剤を介して蓋２１Ｂの内面に剥離可能に貼付できるものであれば、特に限定されるものではなく、種々の厚紙や、プラスチック製シートなどでメッセージシート２２を構成することができる。
そして、特定の個別メッセージは、メッセージシート２２の材質に応じた手段で表示される。すなわち、前述したハンドヘルドプリンタによる複写や、油性ペン、水性ペン、クレヨン、クレパスなどの適宜の筆記具を使用した手書きにより表示される。
第３実施形態の商品包装材では、商品の受取り主が梱包箱２１の蓋２１Ｂを開くことにより、その内面に貼付されたメッセージシート２２に表示されている特定の個別メッセージを目にすることとなり、この個別のメッセージにより、商品の送り主の気持ちが受取り主に伝えられる。従って、商品の受取り主を除く他の人に特定の個別メッセージが見られてしまうということが無く、商品の送り主は、他人の目を気にすることなく、特定の個別メッセージを表示することができる。
そして、特定の個別メッセージが表示されたメッセージシート２２を蓋２１Ｂの内面から引き剥がすことで、このメッセージシート２２を記念品として手元に残しておくことができ、このメッセージシート２２を適宜の台紙に貼り付けて飾ることもできる。従って、第３実施形態の商品包装材においても第１実施形態の商品包装材と同様の作用効果が得られる。
加えて、第３実施形態の商品包装材によれば、例えば、みかん等の果物を３ｋｇ詰または５ｋｇ詰めとして詰め込む場合、梱包箱２１のボックス２１Ａの容積をジャバラ構造部２１Ｃの伸縮により調整することで、容易に対応することができる。さらに、特定の個別メッセージが表示されたメッセージシート２２を梱包箱２１の蓋２１Ｂの内面から剥がすことで、梱包箱２１を再利用することが可能となる。
ここで、図１０および図１１に示した梱包箱２１の蓋２１Ｂは、図１２に示すように、ジャバラ構造部２１Ｃが形成されたボックス２１Ａとは別体の通常のかぶせ蓋２１Ｄに変更することができる。このかぶせ蓋２１Ｄの材質は、ボックス２１Ａと同じ材質としてもよいし、異なる材質としてもよいが、透明はたは半透明のポリエチレン、ポリプロピレンなどの材質が好ましい。
なお、図１２に示したかぶせ蓋２１Ｄの内面には、図１１に示した別体のメッセージシート２２と同様のメッセージシート（図示省略）が剥離可能に貼付されるのであり、図１２に示した梱包箱２１においても、図１０および図１１に示した梱包箱２１と同様の作用効果が得られる。
次に、第４実施形態に係る商品包装材を説明する。第４実施形態の商品包装材は、図１３に示すような封筒型の梱包袋３１として構成されている。この梱包袋３１は、周囲にマチ３１Ａを有するものであって、薄くて嵩張らないＣＤ、ＤＶＤ、雑誌類、Ｔシャツなどの商品を収納して梱包できるようになっている。
ここで、梱包袋３１の裏面には、図１１に示したメッセージシート２２と同様のメッセージシート３２が例えばアクリル系の弱粘着剤を介して剥離可能に貼付されている。そして、このメッセージシート３２には、メッセージシート２２に表示される特定の個別メッセージと同様の手段により同様の特定の個別メッセージが表示されている。
第４実施形態の商品包装材においても、特定の個別メッセージが表示されたメッセージシート３２を梱包袋３１の裏面から引き剥がすことで、このメッセージシート３２を記念品として手元に残しておくことができ、このメッセージシート３２を適宜の台紙に貼り付けて飾ることもできる。従って、第４実施形態の商品包装材においても第１実施形態の商品包装材と同様の作用効果が得られる。
本発明に係る商品包装材は、前述した各実施形態に限定されるものではない。例えば、図１に示した段ボール箱１、図９および図１０に示した段ボール箱１１、図１１および図１２に示した梱包箱２１には、ビン詰めジャムやみかんに限らず、他の柑橘類やりんご、桃、梨等の果物類をバラ詰めし、あるいは、その他各種の食品、菓子類、人形、玩具、本類などを詰めてもよい。同様に、図１３に示した梱包袋３１には、時計や携帯電話などの小型の電子機器を収納して梱包してもよい。そして、本発明の商品包装材は、ケーキ類を詰める小型の紙箱として構成することもできる。
また、図１に示した段ボール箱１、図９および図１０に示した段ボール箱１１および図１３に示した梱包袋３１は、梱包される商品が薄く透けて見える半透明のプラスチック製の段ボールシートで構成することができる。この場合、段ボールシートは、梱包される商品の色を連想させる淡い色、例えば、桃などを連想させる淡いピンク色の透明または半透明とされているのが好ましい。
さらに、図１１に示した別体のメッセージシート２２の表面に表示される特定の個別メッセージは、メッセージシート２２の表面にではなく蓋２１Ｂの内面に油性ペンで手書きしてもよい。この場合、メッセージシート２２を透明なプラスチック製のシートとして蓋２１Ｂの内面に弱粘着剤層を介して剥離可能に貼付することで、メッセージシート２２が特定の個別メッセージを覆うカバーシートとして機能する。
そして、この場合、透明なメッセージシート２２の裏面の弱粘着剤層は、蓋２１Ｂの内面に油性ペンで手書きされた特定の個別メッセージを転写可能であるため、透明なメッセージシート２２を蓋２１Ｂの内面から引き剥がし、その裏面に特定の個別メッセージを転写させることで、メッセージシート２２を記念品として手元に残しておくことができ、このメッセージシート３２を適宜の台紙に貼り付けて飾ることもできる。
一方、図３に示したパッド部材３、すなわち、図１に示した段ボール箱１、図９および図１０に示した段ボール箱１１の底部に嵌め込まれるパッド部材３の上面に形成される凹部は、梱包される商品の形状に対応した適宜の形状、数量とすることができる。
【図１】
2008146931.tif 000004
【図２】
2008146931.tif 000005
【図３】
2008146931.tif 000006
【図４】
2008146931.tif 000007
【図５】
2008146931.tif 000008
【図６】
2008146931.tif 000009
【図７】
2008146931.tif 000010
【図８】
2008146931.tif 000011
【図９】
2008146931.tif 000012
【図１０】
2008146931.tif 000013
【図１１】
2008146931.tif 000014
【図１２】
2008146931.tif 000015
【図１３】
2008146931.tif 000016
【国際調査報告】
2008146931.tif 000017
2008146931.tif 000018
2008146931.tif 000019
2008146931.tif 000020